(57)【要約】【課題】どの席の利用者にとっても見やすい配席表を簡単に作成可能な配席表編集プログラム及び装置を提供する。【解決手段】複数の利用者の座席の各々に対応付けて配置した利用者を示す文字列と、座席レイアウト画像に含まれる座席の位置とを関係付けた配席表を編集する配席表編集プログラム２４は、配席表編集装置１を、配席表記憶部２２に記憶された配席表２２ａの配置方向の変更に関する指示入力を受け付ける指示受付手段１２と、指示受付手段１２により受け付けた指示入力に基づいて所定の利用者からの視点方向になるように、表示部５に表示する配席表を回転移動させて、座席レイアウト画像の向きを変更する配席表編集手段１４と、配席表編集手段１４によって変更された座席レイアウト画像に含まれる座席の位置に関連付けられた文字列の配置を、配席表が表示された状態で読める方向に変更する文字列配置変更手段１６として機能させる。【選択図】図１
2011180932.tif 000002
【特許請求の範囲】
【請求項１】
複数の利用者の座席を配置した座席レイアウト画像を有する配席表を編集する配席表編集プログラムであって、
コンピュータが、前記複数の利用者の座席の各々に対応付けて配置した前記利用者を示す文字列と、前記座席レイアウト画像に含まれる座席の位置とを関係付けた前記配席表を記憶する配席表記憶部を備え、
前記コンピュータを、
前記配席表の配置方向の変更に関する指示入力を受け付ける指示受付手段と、
前記指示受付手段により受け付けた指示入力に基づいて所定の前記利用者からの視点方向になるように、前記コンピュータの表示部に表示する前記配席表を回転移動させて、前記座席レイアウト画像の向きを変更する配席表編集手段と、
前記配席表編集手段によって変更された前記座席レイアウト画像に含まれる前記座席の位置に関連付けられた前記文字列の配置を、前記配席表が表示された状態で読める方向に変更する文字列配置変更手段と、
して機能させるための配席表編集プログラム。
【請求項２】
請求項１に記載の配席表編集プログラムにおいて、
前記文字列配置変更手段を、前記文字列の配置を前記コンピュータの表示部の上から下方向及び／又は左から右方向に、かつ、前記文字列を構成する文字の各々が下方向を向くように変更するように機能させる、
配席表編集プログラム。
【請求項３】
複数の利用者の座席を配置した座席レイアウト画像を有する配席表を編集する配席表編集装置であって、
前記複数の利用者の座席の各々に対応付けて配置した前記利用者を示す文字列と、前記座席レイアウト画像に含まれる座席の位置とを関係付けた前記配席表を記憶する配席表記憶部と、
前記配席表の配置方向の変更に関する指示入力を受け付ける指示受付部と、
前記指示受付部により受け付けた指示入力に基づいて所定の前記利用者からの視点方向になるように、前記配席表編集装置の表示部に表示する前記配席表を回転移動させて、前記座席レイアウト画像の向きを変更する配席表編集部と、
前記配席表編集部によって変更された前記座席レイアウト画像に含まれる前記座席の位置に関連付けられた前記文字列の配置を、前記配席表が表示された状態で読める方向に変更する文字列配置変更部と、
を備える配席表編集装置。
【発明の詳細な説明】
【技術分野】
【０００１】
本発明は、配席表編集プログラム及び装置に関する。
【背景技術】
【０００２】
従来、会議の出席者等に配布される配席表は、パソコン（ＰＣ）等を使用して作成されている。そして、配席表は、主賓等の特定の出席者からの視点で作成されたものが一般的であり、その配席表が全ての会議の出席者に配布されている。会議の出席者は、配布された配席表を参照しながら自分の席を探して着席する。
【０００３】
このような配席表は、上述したように特定の出席者の視点で作成されているため、特定の出席者にとっては見やすいものとなっている。一方、特定の出席者からの視点とは異なる視点の場所に席が用意された出席者にとっては、見づらいものになっていた。
【０００４】
配席表の工夫に関するものとして、例えば、宴会席次表プリントシステムが開示されている（例えば、特許文献１参照）。特許文献１に記載の宴会席次表プリントシステムは、宴会場における席次表を顔写真付き席次表として出力するものであり、出席者の顔と名前とを一致させるという意味において、出席者に役立つものであった。しかし、特許文献１に記載の宴会席次表プリントシステムを用いても、配席表は、相変わらず特定の主席者を除いた出席者にとっては見やすいものではなかった。
【先行技術文献】
【特許文献】
【０００５】
【特許文献１】特開２００７−１９９８７４号公報
【発明の概要】
【発明が解決しようとする課題】
【０００６】
本発明は、このような問題点を解決するためになされたもので、どの席の利用者にとっても見やすい配席表を簡単に作成可能な配席表編集プログラム及び装置を提供することを課題とする。
【課題を解決するための手段】
【０００７】
より具体的には、本発明は、次のようなものを提供する。
【０００８】
（１）  複数の利用者の座席を配置した座席レイアウト画像を有する配席表を編集する配席表編集プログラムであって、コンピュータが、前記複数の利用者の座席の各々に対応付けて配置した前記利用者を示す文字列と、前記座席レイアウト画像に含まれる座席の位置とを関係付けた前記配席表を記憶する配席表記憶部を備え、前記コンピュータを、前記配席表の配置方向の変更に関する指示入力を受け付ける指示受付手段と、前記指示受付手段により受け付けた指示入力に基づいて所定の前記利用者からの視点方向になるように、前記コンピュータの表示部に表示する前記配席表を回転移動させて、前記座席レイアウト画像の向きを変更する配席表編集手段と、前記配席表編集手段によって変更された前記座席レイアウト画像に含まれる前記座席の位置に関連付けられた前記文字列の配置を、前記配席表が表示された状態で読める方向に変更する文字列配置変更手段と、して機能させるための配席表編集プログラム。
【０００９】
（１）の発明によれば、配席表編集プログラムは、配席表の配置方向の変更に関する指示入力を受け付けたことに応じて、所定の利用者からの視点になるように配席表を回転移動させて座席レイアウト画像の向きを変更する編集をする。よって、配席表編集プログラムによって、簡易な操作で様々な方向を基準とした配席表を作成できる。また、配席表のデータは１つであるので、配席表の修正等を行った場合であっても、一度の修正のみで様々な方向を基準とした配席表を簡単に作成できる。
【００１０】
さらに、配席表編集プログラムは、配席表に含まれる利用者の氏名等の文字列を、配席表が表示された状態で、例えば、左から右方向に、又は上から下方向に文字を配置することで、利用者が読める方向に変更する。よって、配席表を所定の利用者からの視点になるように回転移動させて座席レイアウト画像の向きを変更した場合であっても、配席表に含まれる文字列は常に利用者が読める状態で表示できる。
【００１１】
（２）  （１）に記載の配席表編集プログラムにおいて、前記文字列配置変更手段を、前記文字列の配置を前記コンピュータの表示部の上から下方向及び／又は左から右方向に、かつ、前記文字列を構成する文字の各々が下方向を向くように変更するように機能させる、配席表編集プログラム。
【００１２】
（２）の発明によれば、配席表編集プログラムは、配席表に含まれる利用者の氏名等の文字列を、配席表が表示された状態で、例えば、左から右方向に、又は上から下方向に文字を配置し、文字列を構成する各文字が下方向を向くように変更する。よって、文字列を利用者に一見して理解させやすい状態に変更できる。
【００１３】
（３）  複数の利用者の座席を配置した座席レイアウト画像を有する配席表を編集する配席表編集装置であって、前記複数の利用者の座席の各々に対応付けて配置した前記利用者を示す文字列と、前記座席レイアウト画像に含まれる座席の位置とを関係付けた前記配席表を記憶する配席表記憶部と、前記配席表の配置方向の変更に関する指示入力を受け付ける指示受付部と、前記指示受付部により受け付けた指示入力に基づいて所定の前記利用者からの視点方向になるように、前記配席表編集装置の表示部に表示する前記配席表を回転移動させて、前記座席レイアウト画像の向きを変更する配席表編集部と、前記配席表編集部によって変更された前記座席レイアウト画像に含まれる前記座席の位置に関連付けられた前記文字列の配置を、前記配席表が表示された状態で読める方向に変更する文字列配置変更部と、を備える配席表編集装置。
【００１４】
（３）の発明によれば、（１）と同様の作用を有する。
【発明の効果】
【００１５】
本発明によれば、どの席の利用者にとっても見やすい配席表を簡単に作成可能な配席表編集プログラム及び装置を提供することができる。
【図面の簡単な説明】
【００１６】
【図１】本実施形態に係る配席表編集装置の機能構成を示す図である。
【図２】本実施形態に係る配席表編集装置のフローチャートである。
【図３】本実施形態に係る表示部及び印刷物の例を示す図である。
【図４】本実施形態に係る配席表の回転移動を説明する図である。
【図５】本発明の他の実施形態を説明する図である。
【発明を実施するための形態】
【００１７】
以下、本発明を実施するための形態について、図を参照しながら説明する。なお、これは、あくまでも一例であって、本発明の技術的範囲はこれに限られるものではない。
【００１８】
（実施形態）
図１は、本実施形態に係る配席表編集装置１の機能構成を示す図である。
【００１９】
配席表編集装置１は、複数の利用者の座席を配置した見取り図である配席表を編集する装置である。利用者とは、配席表の座席を使用する者をいい、例えば、会議や宴会等の配席であれば、その会議や宴会等の出席者をいう。配席表編集装置１は、入力部３と、表示部５と、印刷部７と、制御部１０と、記憶部２０とを備える。入力部３、表示部５、印刷部７、制御部１０及び記憶部２０は、バスラインにより接続されている。
【００２０】
入力部３は、配席表編集装置１を使って、配席表を作成、編集及び印刷する編集者が操作する入力装置であり、例えば、キーボードやポインティング・デバイス（マウス、トラッキングボール等）である。
【００２１】
表示部５は、配席表を編集者に見せる表示装置であり、例えば、液晶ディスプレイ、プラズマディスプレイ等の各種ディスプレイである。
【００２２】
印刷部７は、表示部５に表示された配席表を利用者に配布するために印刷する、例えば、プリンタである。
【００２３】
制御部１０は、情報の演算、及び処理を行う中央処理装置（ＣＰＵ）であり、配席表編集装置１を統括的に制御するものである。制御部１０は、各種プログラムを適宜読み出して実行することにより、上述したハードウェアと協働し、本発明に係る各種機能を実現している。制御部１０は、指示受付部としての指示受付手段１２と、配席表編集部としての配席表編集手段１４と、文字列配置変更部としての文字列配置変更手段１６とを備える。
【００２４】
指示受付手段１２は、予め作成された配席表についての表示方向の変更に関する、編集者による入力部３から入力された指示入力を受け付ける制御部である。
【００２５】
配席表編集手段１４は、指示入力に基づいて配席表の配置の向きを変更する制御部である。
【００２６】
文字列配置変更手段１６は、配席表の座席に対応付けて配置された座席の利用者の氏名等の文字列の配置を、正しい並びに変更する制御部である。正しい並びとは、配席表が表示された状態で編集者が読める方向に氏名の配置を変更することであり、例えば、縦書きであれば、氏名が画面上から下方向に文字を配置し、横書きであれば、氏名が画面左から右方向に文字を配置することをいう。なお、文字が並べられた場合には、１つの文字単位で見れば、その文字が画面下方向を向くように配置された状態になっている。これは、利用者にとって、一見して氏名を理解しやすい態様である。
【００２７】
記憶部２０は、例えば、メモリ（ＲＡＭ、ＲＯＭ）、ハードディスク（ＨＤＤ）及び光ディスク（ＣＤ、ＤＶＤ等）に代表される記憶領域である。記憶部２０は、配席表記憶部２２と、配席表編集プログラム２４とを備える。
【００２８】
配席表記憶部２２は、座席のレイアウトを示す座席レイアウト画像２２ｂと、各座席の利用者の氏名である利用者名２２ｃとからなる配席表２２ａを記憶する記憶領域である。配席表２２ａは、利用者名２２ｃの各利用者の氏名と、座席レイアウト画像２２ｂに配置されたその利用者の座席とを関連付けている。なお、配席表２２ａは、例えば、配席表編集装置１によって、所定の方向からの視点のものが予め作成され、配席表記憶部２２に記憶されている。
【００２９】
配席表編集プログラム２４は、本実施形態で説明する配席表編集装置１の処理を実現するためのコンピュータプログラムである。
【００３０】
なお、本実施形態でいうコンピュータとは、記憶装置、制御部等を備えた情報処理装置をいい、配席表編集装置１は、記憶部２０、制御部１０等を備えた情報処理装置であり、本実施形態のコンピュータの概念に含まれる。
【００３１】
次に、配席表編集装置１の処理について説明する。図２は、本実施形態に係る配席表編集装置１のフローチャートである。図３は、本実施形態に係る表示部５及び印刷物４０の例を示す図である。図４は、本実施形態に係る配席表３１の回転移動を説明する図である。
【００３２】
まず、図２のステップＳ１において、制御部１０は、配席表記憶部２２に記憶された配席表２２ａを表示部５に表示させる。
【００３３】
図３（１）（ａ）は、表示部５に表示された配席編集画面３０を示す図である。配席編集画面３０は、配席部３１と、右回転ボタン３２と、左回転ボタン３３と、印刷ボタン３４とを有する。
【００３４】
配席部３１は、座席のレイアウトを画像で示した座席レイアウト画像と、座席ごとに配置された利用者の氏名とからなる配席表を配置する。図３（１）（ａ）の例では、配席部３１に表示された配席表は、左右方向に長い矩形の形態であるロの字型に配置されている。右回転ボタン３２は、配席部３１の配席表を右回りに９０度回転させるボタンである。左回転ボタン３３は、配席表３１の配席表を左回りに９０度回転させるボタンである。印刷ボタン３４は、配席部３１に示された配席表のデータを印刷部７に送信することで、印刷部７を介して配席表をプリントするボタンである。
【００３５】
図２に戻り、ステップＳ２において、制御部１０（指示受付手段１２）は、入力部３から指示入力を受け付けたか否かを判断する。指示入力を受け付けた場合（ステップＳ２：ＹＥＳ）には、制御部１０は、処理をステップＳ３に移す。他方、指示入力を受け付けていない場合（ステップＳ２：ＮＯ）には、制御部は、処理をステップＳ１０に移す。
【００３６】
ステップＳ３において、制御部１０（指示受付手段１２）は、受け付けた指示入力が右回転ボタン３２又は左回転ボタン３３によるものであるか否かを判断する。受け付けた指示入力が右回転ボタン３２又は左回転ボタン３３によるものである場合（ステップＳ３：ＹＥＳ）には、制御部１０は、処理をステップＳ４に移す。他方、受け付けた指示入力が右回転ボタン３２又は左回転ボタン３３によるものではない場合（ステップＳ３：ＮＯ）には、制御部１０は、処理をステップＳ８に移す。
【００３７】
ステップＳ４において、制御部１０（配席表編集手段１４）は、受け付けた指示入力に応じて、配席表を右回りに９０度又は左回りに９０度回転させる。図４（１）は、図３（１）（ａ）の配席編集画面３０から配席部３１を抽出した図である。図４（２）は、図４（１）の配席部３１に表示された配席表を右回りに９０度回転させた図である。この際、配席表に示された利用者の氏名は、座席レイアウト画像と共に右回りに９０度回転しており、読みづらい状態になっている。
【００３８】
図２に戻り、ステップＳ５において、制御部１０（文字列配置変更手段１６）は、文字列配置変更処理を行う。具体的には、文字列配置変更手段１６は、読みやすくなるように、配席表に配置された利用者の氏名の配置を変更する。図４（３）は、図４（２）の配席表の利用者の氏名を、読みやすい状態になるように変更したものである。この例の場合、座席を示す矩形の中に氏名が記載されており、文字列配置変更手段１６は、座席が上下方向に長い矩形である場合には、利用者の氏名を上から下方向へ表示するように変更し、座席が左右方向に長い矩形である場合には、利用者の氏名を左から右方向へと表示するように変更している。
【００３９】
図２に戻り、ステップＳ６において、制御部１０は、編集後の配席表を表示部５に表示させる。図３（２）（ａ）は、図３（１）（ａ）で右回転ボタン３２が１回選択された場合の編集後の配席表を表示した配席編集画面３０を示したものである。配席部３１に配置された配席表は、元の配席表から右回りに９０度回転して、上下方向に長い矩形の形態であるロの字型に配置されている。そして、図３（１）（ａ）で配席部３１の右側に示されている「四郎」の座席３６は、図３（２）（ａ）では配席部３１の下側に示されている。
【００４０】
図２に戻り、ステップＳ７において、制御部１０は、編集後の配席表を配席表記憶部２２に記憶させる。
【００４１】
他方、ステップＳ８において、制御部１０は、受け付けた指示入力が印刷ボタン３４であるか否かを判断する。印刷ボタン３４である場合（ステップＳ８：ＹＥＳ）には、制御部１０は、処理をステップＳ９に移す。他方、印刷ボタン３４ではない場合（ステップＳ８：ＮＯ）には、制御部１０は、処理をステップＳ１０に移す。
【００４２】
ステップＳ９において、制御部１０は、表示部５に表示された配席部３１のデータを印刷部７に送信する。そして、印刷部７は、配席表が掲載された印刷物４０を出力する。図３（１）（ｂ）は、図３（１）（ａ）の状態で印刷ボタン３４が選択された、編集作業前の印刷物４０を、図３（２）（ｂ）は、編集作業後の印刷物４０を、それぞれ示したものである。図３（１）（ｂ）の印刷物４０は、「太郎」、「次郎」、「三郎」側から見たものであり、その３名には見やすいものになっている。そして、図３（２）（ｂ）の印刷物４０は、「四郎」、「五郎」側から見たものであり、その２名に見やすいものになっている。
【００４３】
このように、配席表編集装置１は、右回転ボタン３２又は左回転ボタン３３が選択されることで配席部３１の配席表を回転した配席編集画面３０を表示部５に表示させる。また、配席表編集装置１は、印刷ボタン３４が選択されることで、様々な利用者からの視点方向の配席表が記載された印刷物４０を出力できる。
【００４４】
図１に戻り、ステップＳ１０は、処理を終了するか否かを判断する。例えば、終了ボタン（図示せず）が選択されることで、処理を終了する場合（ステップＳ１０：ＹＥＳ）には、制御部１０は、処理をステップＳ１１に移し、配席表編集プログラム２４の処理を終了する等の終了処理をした後に、制御部１０は、本処理を終了する。他方、処理を終了しない場合（ステップＳ１０：ＮＯ）には、制御部１０は、処理をステップＳ２に移す。
【００４５】
このように、配席表編集装置１は、配席表の配置方向の変更に関する指示入力を受け付けたことに応じて、所定の利用者からの視点になるように配席表を回転移動させて座席レイアウト画像の向きを変更する編集をするので、簡易な操作で様々な方向を基準とした配席表を作成できる。また、配席表のデータは１つであるので、例えば、「次郎」を「二郎」に変更する等の配席表の修正等を行った場合であっても、配席表編集装置１は、ある状態の配席編集画面３０で１回修正するだけで、様々な方向を基準とした配席表を簡単に作成できる。
【００４６】
さらに、配席表編集装置１は、配席表に含まれる利用者の氏名等の文字列を、配席表が表示された状態で、左から右方向に、又は上から下方向に文字を配置して利用者が読める方向に変更する。よって、配席表を所定の利用者からの視点になるように回転移動させて座席レイアウト画像の向きを変更した場合であっても、配席表に含まれる文字列は常に利用者が読める状態で表示できる。
【００４７】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施形態に記載されたものに限定されるものではない。なお、上述した実施形態及び後述する変形形態は、適宜組み合わせて用いることもできるが、詳細な説明は省略する。
【００４８】
（変形形態）
本実施形態は、文字列配置変更処理を、座席を表す矩形の長手方向に基づいて規定するものであったが、これに限らない。例えば、文字列を座席を表す矩形の外側に配置して、配置位置に応じて文字列の表示方向を決定するようにしてもよい。図５（１）は、配席表の他の表示態様を示す図である。図５（１）の配席表の場合、配席表の上下部分の領域である領域５１Ｕと領域５１Ｄとの中には、氏名を上下方向に表示し、配席表の左右外側部分の領域である領域５１Ｒと領域５１Ｌとの中には、氏名を左右方向に表示する。配席表編集装置は、座席レイアウト画像の方向が変更された場合には、どの領域に氏名が配置されるかによって、氏名の表示態様を決定できる。
【００４９】
本実施形態は、座席のレイアウトがロの字型の場合について説明したが、これに限らない。座席のレイアウトがコの字型の場合であってもよいし、他の形態であってもよい。
【００５０】
本実施形態は、予め回転ボタンが用意されており、ボタンの選択によって配席表の方向を変更するものになっていたが、これに限らない。例えば、方向と角度とを入力することで、配席表の方向を変更するものであってもよい。図５（２）は、方向と角度とを任意に入力する入力フォーマットを示す。どちらの方向に回転させるかは、一方にチェックを入れることで決定し、角度は、数字を入れることで決定できる。また、配席表を二次元の画像で説明したが、三次元の画像であってもよい。その場合は、２方向分の方向と角度とを入力できるようにしてもよい。
【符号の説明】
【００５１】
１    配席表編集装置
３    入力部
５    表示部
７    印刷部
１０  制御部
１２  指示受付手段
１４  配席表編集手段
１６  文字列配置変更手段
２０  記憶部
２２  配席表記憶部
２４  配席表編集プログラム
【図１】
2011180932.tif 000003
【図２】
2011180932.tif 000004
【図３】
2011180932.tif 000005
【図４】
2011180932.tif 000006
【図５】
2011180932.tif 000007